(57)【特許請求の範囲】
【請求項１】
円形のキャップ天面、および
前記キャップ天面から下向きに延びてボトルのネジ付きネックを受けるための円筒形開口部を画定する環状スカート
を備えるボトルキャップを備え、
前記キャップ天面に隣接する前記円筒形開口部内に配置され、前記キャップ天面の上方下方に磁場を与える磁石、
前記スカートの外側から延びて嵌合コネクタを受けるための第１のコネクタ、
少なくとも一部が強磁性体である装飾物、及び
前記第１のコネクタを通って延びるケーブル、
を備え、
前記スカートは前記ネックの外周面上のネジに係合する対応する内ネジを有し、
前記キャップ天面は磁界に対して透過性であり、
前記装飾物は、少なくとも部分的に強磁性であり、前記磁石に引き付けられて前記キャップ本体に確実に保持され、かつ、引っ張ることにより前記キャップ本体から取り外し可能であり、
前記修飾物は、前記キャップ天面から取り外し、かつ前記キャップをボトルから取り外すと、前記円筒形開口部内に受けられ、前記磁石により前記キャップ天面に向けて引き付けられる
ことを特徴とする装身具。
【請求項２】
前記第１のコネクタは、ループ状であることを特徴とする、請求項１に記載の装身具。
【請求項３】
前記スカートの外側から延びて嵌合コネクタを受けるための、前記第１のコネクタとは反対側の前記スカート上に配置された、第２のコネクタをさらに含むことを特徴とする、請求項１または２に記載の装身具。
【請求項４】
前記第１及び第２のコネクタは、ループ状であることを特徴とする、請求項３に記載の装身具。
【請求項５】
ネックレス又はブレスレットであることを特徴とする、請求項１〜４のいずれかに記載の装身具。
【請求項６】
前記ケーブルは、鎖であることを特徴とする、請求項１〜５のいずれかに記載の装身具。
【請求項７】
前記ケーブルは、紐であることを特徴とする、請求項１〜５のいずれかに記載の装身具。
【請求項８】
前記ケーブルは、布ケーブルであることを特徴とする、請求項１〜５のいずれかに記載の装身具。
【請求項９】
前記ケーブルは、円筒形ケーブルであることを特徴とする、請求項１〜５のいずれかに記載の装身具。
【請求項１０】
略円筒形であることを特徴とする、請求項１〜９のいずれかに記載の装身具。
【請求項１１】
前記装飾物は、装飾上部と、強磁性底部とを有することを特徴とする、請求項１〜１０のいずれかに記載の装身具。
【請求項１２】
前記強磁性底部は、前記キャップ天面及び前記磁石に面することを特徴とする、請求項１１に記載の装身具。
【請求項１３】
円形のキャップ天面と、
前記キャップ天面から下向きに延びてボトルのネジ付きネックを受けるための円筒形開口部を画定する環状スカートと
を備えるボトルキャップ、
前記キャップ天面に内蔵されるか、前記円筒形開口部の内部であって、前記キャップ天面に隣接して配置され、前記キャップ天面の上方及び下方に磁場を与える磁石、
少なくとも一部が強磁性体であり、前記磁石に磁着されて、前記キャップ天面に隣接して確り保持される装飾物、および
前記スカートの外側から延びて嵌合コネクタを受けるための第１のコネクタ
を備え、
前記スカートは前記ネックの外周面上のネジに係合する対応する内ネジを有し、
前記キャップ天面は磁界に対して透過性であり、
前記装飾物は、前記キャップ本体の内側に収容され、前記磁石により磁着されるようになっており、
前記嵌合コネクタと前記第１コネクタとが接続されている
ことを特徴とする装身具。
【請求項１４】
前記第１コネクタは、ループ状であることを特徴とする、請求項１３に記載の装身具。
【請求項１５】
前記スカートの外側から延びて嵌合コネクタを受けるための、前記第１のコネクタとは反対側の前記スカート上に配置された、第２のコネクタをさらに含むことを特徴とする、請求項１３または１４に記載の装身具。
【請求項１６】
前記第１及び第２コネクタは、ループ状であることを特徴とする、請求項１５に記載の装身具。
【請求項１７】
前記嵌合コネクタは、ケーブルであることを特徴とする、請求項１３〜１６のいずれかに記載の装身具。
【請求項１８】
前記ケーブルは、円筒形であることを特徴とする、請求項１７に記載の装身具。
【請求項１９】
前記磁石は、前記キャップ天面に当接することを特徴とする、請求項１３〜１８のいずれかに記載の装身具。
【請求項２０】
前記磁石は、防水筐体内に収容されることを特徴とする、請求項１３〜１８のいずれかに記載の装身具。
【請求項２１】
前記装飾物は、装飾上部と、強磁性底部とを有することを特徴とする、請求項１３〜２０のいずれかに記載の装身具。
【請求項２２】
前記装飾物は、形状が、略円筒形であることを特徴とする、請求項１３〜２１のいずれかに記載の装身具。
【発明の詳細な説明】
【技術分野】
【０００１】
本発明は、ボトルキャップに関し、更に詳細には、交換用ボトルキャップ及びこれに関連する装身具に関する。
【背景技術】
【０００２】
移動時に飲物のボトル、特に水のボトルを携行することは、消費者の間の慣行である。飲料容器は人気のブランドのものであることが多い。運動又は仕事の間、かかる容器は下に置かれることが多く、そのためボトルが誰のものかについて混乱が生じかねない。このことは、容器の取り間違えを引き起こすことがあり、取り間違いの前に容器が開けられている場合、非衛生的になりかねない。
【先行技術文献】
【特許文献】
【０００３】
【特許文献１】米国特許第５，８６０，２９７号明細書
【特許文献２】米国特許第６，８５７，７５５号明細書
【特許文献３】米国特許第６，１５８，１５７号明細書
【発明の概要】
【発明が解決しようとする課題】
【０００４】
従って、飲料容器を魅力的に個別化するために使用できる交換用ボトルキャップに対する必要性がある。ボトルキャップは、装身具の製造における原材料として使用されている。特許文献１を参照されたい。キャップを衣服に取り付けるための磁石を有する照明付きボトルキャップが知られている。特許文献２を参照されたい。ビールのボトルキャップが、バーの壁の装飾として使用されている。特許文献３を参照されたい。飲料容器を個別化できる交換用装飾ボトルキャップに対する必要性が依然として存在する。
【課題を解決するための手段】
【０００５】
本発明によれば、飲料容器に使用するための交換用ボトルキャップが提供される。現代社会においては、多くの人が、自分の飲料容器を携えてあちこち移動する。多くのかかる容器は、幾つかの大手ブランドにより提供される。その結果、飲料容器は比較的特徴がない。そのため、ジム又は公園で、多くの人が、見分けのつかない同じ容器を持っているのが見受けられる。本発明によれば、個人化することができる交換用ボトルキャップが提供される。交換用ボトルキャップは、使用していないときは、例えば装身具などの装飾品として用いることもできる。
【０００６】
本発明による交換用ボトルキャップは、円形のキャップ天面を有する。環状スカートが、キャップ天面から下向きに延びて、ボトルのネジ付きネックを受けるための開口部を与える。スカートは、ボトルのネックの外周上のネジに係合するための対応する内ネジを有する。キャップ天面は、磁界に対して透過性である。
【０００７】
磁石は、キャップ本体に内蔵されるか、キャップ天面に隣接する円筒形開口部内に配置される。磁石は、キャップ天面の上方及び下方に磁界を与える。装飾物が、キャップ天面から上向きに延びる。装飾物は、少なくとも部分的に強磁性体である。装飾物は、磁石に引き付けられるので、キャップ天面に確実に保持される。装飾物は、磁石が装飾物に作用する力に打ち勝つのに十分な力で装飾物を引っ張ることにより、キャップ天面から取り外すことができる。第１のコネクタが、スカートの外側から延びて、例えばケーブルなどの嵌合コネクタを受ける。装飾物は、キャップ天面から取り外し、かつキャップをボトルから取り外すと、円筒形開口部内に配置することができ、そこでキャップが使用されていない際に保管に便利なように磁石によりキャップ天面の方に引き付けられる。
【０００８】
本発明の別の態様において、本発明によるボトルキャップから作製された装身具片又は他の装飾品が提供される。装身具は、円形のキャップ天面と、キャップ天面から下向きに延びてネジ付きボトルネックを受けるための円筒形開口部を画定する環状スカートとを有する、１つ又はそれ以上のボトルキャップを含む。スカートの内ネジは、ボトルのネック上の対応するネジに係合する。キャップ天面は、磁界に対して透過性である。磁石は、キャップ天面に隣接する円筒形開口部内に配置される。磁石は、キャップ天面の上方及び下方に磁界を与える。キャップがボトルに取り付けられていない際は、少なくとも部分的に強磁性の装飾物が、キャップ天面の下方の円筒形開口部に取り付けられる。装飾物は、磁石によりキャップ天面の方に引き付けられ、キャップ内に確実に保持される。コネクタは、スカートの外側から延びて、嵌合コネクタと相互作用する。従って、装飾物付きのキャップを、装身具として着用することができる。
【０００９】
本発明の好ましい実施形態が、図面及び例において示される。しかしながら、本発明は例証される実施形態のみに限定されないことを明確に理解すべきである。
【図面の簡単な説明】
【００１０】
【図１】ボトルに使用された状態の本発明による交換用ボトルキャップの斜視図である。
【図２】図１のキャップの側面図である。
【図３】図１のキャップの底面図である。
【図４】図３の４−４を通る断面図である。
【図５】本発明による装飾物の上面図である。
【図６】本発明による装飾物の底面図である。
【図７】装飾物がキャップ内にある状態の本発明による交換用キャップの底面図である。
【図８】本発明によるネックレスの平面図である。
【図９】使用中の本発明によるブレスレットの平面図である。
【発明を実施するための形態】
【００１１】
本発明によれば、飲料容器に用いるための交換用ボトルキャップが提供される。市販の飲料は、幾つかの大手ブランドにより供給されることが多い。その結果、人気のある飲料容器は、共通であり、特徴がない。多くの人が、区別できない同じ容器を手に持って街を移動しているのを見ることができる。本発明によれば、容器を個別化することができる交換用ボトルキャップが提供される。交換用ボトルキャップは、ペット製品等の他の物品用の装飾品として使用することもできる。本発明の別の態様において、キャップは、容器に使用されないときは、装身具として使用することができる。
【００１２】
本発明によれば、円形のキャップ天面を有する好ましくはプラスチック製の交換用ボトルキャップが提供される。環状スカートが、キャップ天面から下向きに延びてボトルのネジ付きネックを受けるための円筒形開口部を与える。スカートは、ボトルのネックの外側部分上の対応するネジに係合する内ネジを有する。キャップ天面は、磁界に対して透過性である。磁石は、キャップ天面に隣接する円筒形開口部内に配置される。磁石は、キャップ天面に当接することが好ましい。磁石は、例えば接着等いずれかの適切な方法により、キャップ天面に取り付けられることが望ましい。磁石は、容器内の液体と接触するのを防ぐために、磁石上及び好ましくは磁石を囲む、好ましくは耐水性、好ましくは防水性のコーティング又は好ましくはプラスチック製筐体の保護シールドを有することが望ましい。磁石は、キャップ天面の上方及び下方に磁界を与える。装飾物は、キャップ天面から上向きに延びる。装飾物は、少なくとも部分的に、好ましくはその基部が、強磁性である。装飾物は、磁石に引き付けられるので、キャップ天面に確実に保持される。装飾物は、磁石により物体に作用する力に打ち勝つのに十分な程度引っ張ることにより、キャップ天面から取り外し可能である。好ましくはループである第１のコネクタは、スカートの外側から延びて、好ましくはケーブルである嵌合コネクタを受ける。好ましくはループである第２のコネクタは、スカートの外側から延びて、好ましくはケーブルである嵌合コネクタを受けることが望ましい。第２のコネクタは、第１のコネクタとは反対側のスカート上に配置されることが好ましい。
【００１３】
装飾物は、形状が好ましくは略円筒形、随意的に環状であって、円筒形開口部より小さい直径を有し、装飾物をキャップ天面から取り外し、かつキャップをボトルから取り外すと、円筒形開口部内に配置することができ、そこでキャップが使用されていない際に保管に便利なように磁石によりキャップ天面の方に引き付けられる。
【００１４】
本発明の別の態様によると、本発明による、少なくとも部分的にボトルキャップから作られた装身具片又は他の装飾品が提供される。装身具は、円形のキャップ天面と、キャップ天面から下向きに延びてボトルのネジ付きネックを受けるための円筒形開口部を画定する環状スカートとを有する１つ又はそれ以上のボトルキャップとを含む。スカートは、ボトルのネックの外側部分上の対応するネジに係合する内ネジを有する。キャップ天面は、磁界に対して透過性である。磁石は、キャップ天面に隣接する円筒形開口部内に配置され、キャップ天面に当接することが好ましい。磁石は、キャップ天面の上方及び下方に磁界を与える。キャップがボトルに取り付けられていない際は、少なくとも部分的に強磁性である好ましくは環状の装飾物は、キャップ天面の下方の円筒形開口部内に取り付けられる。装飾物は、装飾上部と、強磁性の底部とを有することが望ましい。装飾物は、底部に取り付けられた金属リングを有する。装飾物は、磁石によりキャップ天面の方に引き付けられ、キャップのスカート内に確実に保持され、装飾をディスプレイする。好ましくはループである第１のコネクタは、スカートの外側から延びて、ケーブル又は取り付けリングを受ける。好ましくはループである第２のコネクタは、スカートの外側から延びて、ケーブル又は取り付けリングを受けることが好ましい。好ましくはループである第２のコネクタは、第１のコネクタとは反対側のスカート上に配置されることが好ましい。
【００１５】
装飾物は、円筒形開口部より小さい直径を有し、装飾物をキャップ本体から取り外し、かつキャップをボトルから取り外すと、円筒形開口部内に配置することができる。装飾物は、底が磁石によりキャップ本体の方に引き付けられ、キャップが使用されていない際は簡単に保管できる。随意的に、装飾物の上部は、スカートの底部を超えて延び、又はスカート内に収容することができる。装飾物の装飾上部は、種々の設計、芸術的ディスプレイ、又はチーム若しくは学校ロゴ等の属性の表示であることができる。金属鎖、綱、又は釣り糸等のプラスチックケーブルであることが望ましいケーブルを、第１のループを通し、好ましくは第２のループを通して、ネックレス又はブレスレットを形成することが好ましい。随意的には、ジャンプリング等の取り付けリングで、キャップをネックレス、ブレスレット又は他の装身具片に接続する。
【００１６】
図１−図４に最も良く見られるように、円形のキャップ天面１２を有する、好ましくはプラスチック製の交換用ボトルキャップ１０が提供される。環状スカート１６は、キャップ天面１２から下向きに延びてボトル１４のネジ付きネックを受けるための円筒形空間を画定する。スカート１６は、ボトル１４のネックの外側部分上の対応するネジに係合する内ネジ１８を有する。キャップ天面１２は、磁界に対して透過性である。磁石２０は、キャップ天面１２に隣接する円筒形空間内に配置され、キャップ天面１２に当接することが好ましい。磁石２０は、例えば接着等いずれかの適切な方法により、キャップ天面に取り付けられることが望ましい。磁石は、容器内の液体と接触するのを防ぐために、磁石を囲む、好ましくは耐水性、好ましくは防水性のコーティング又は好ましくはプラスチック製筐体の保護シールドを有することが好ましい。プラスチックシールドは、磁石上に成形されることが望ましい。随意的には、保護円板２２をキャップ内に嵌合して、交換用キャップ１０内に磁石２０用の水密区画をもたらす。磁石は、キャップ天面の上方及び下方に磁界を与える。装飾物２４は、キャップ天面から上向きに延びる。図５及び図６に最も良く見られるように、装飾物２４は、少なくとも部分的に、好ましくはその基部が、強磁性である。装飾物２４は、底部に取り付けられた金属リング又は金属円板２６と、プラスチックの上部ディスプレイとを有することが望ましい。装飾物２４は、磁石２０に引き付けられるので、キャップ天面に確実に保持される。装飾物２４は、任意の魅力的な所望のディスプレイ、設計、芸術的ディスプレイ、又はチーム若しくは学校ロゴ等の属性の表示とすることができる。装飾物２４は、磁石により物体に作用する力に打ち勝つのに十分な程度引っ張ることにより、キャップ天面１２から取り外すことができる。好ましくはループ２８である第１のコネクタは、スカートの外側から延びて、好ましくはケーブルである別のコネクタを受ける。好ましくはループ２８である第２のコネクタは、スカートの外側から延びて、好ましくはケーブルである別のコネクタを受けることが望ましい。コネクタ２８は、互いにスカート１６の反対側に配置されることが好ましい。前記磁石２０は、キャップ天面１２中に内蔵されてもよい。この場合、磁石２０は、キャップ天面１２中に鋳込まれる。
【００１７】
図７に最も良く見られるように、装飾物２４は、形状が、好ましくは略円筒形、随意的には環状である。装飾物２４は、キャップ１０の円筒形開口部より小さい直径を有し、キャップ天面から取り外し、かつキャップをボトル１４から取り外すと、円筒形開口部内に配置することができ、そこで磁石２０によりキャップ天面１２の方に引き付けられ、キャップが使用されていない際は簡単に保管できる。
【００１８】
本発明の別の態様において、図８及び図９に最も良く見られるように、本発明によるボトルキャップで少なくとも部分的に作られた装身具片又は他の装飾用品が提供される。装飾物は、ボトルキャップの円筒形開口部に挿入される。装身具は、円形のキャップ天面１２と、キャップ天面１２から下向きに延びてボトルのネジ付きネックを受けるための円筒形開口部２７を画定する環状スカート１６とを有する１つ又はそれ以上のボトルキャップを含む。スカート１６は、ボトルのネックの外側部分上の対応するネジに係合する内ネジ１８を有する。キャップ天面１２は、磁界に対して透過性である。磁石２０は、キャップ天面に隣接する円筒形開口部内に配置され、好ましくはキャップ天面１２に当接する。磁石は、キャップ天面の上方及び下方に磁界を与える。キャップがボトルに取り付けられていない際は、少なくとも部分的に強磁性で、好ましくは円筒状の装飾物は、キャップ天面１２の下方の円筒形開口部内に取り付けられる。装飾物２４は、修飾上部２５と、強磁性底部２６とを有することが望ましい。装飾物は、磁石２０によりキャップ天面１２の方に引き付けられ、キャップのスカート内に確実に保持され、装飾をディスプレイする。好ましくはループ２８である第１のコネクタは、スカートの外側から延びて、ケーブル又は取り付けリングを受ける。好ましくはループ２８である第２のコネクタは、スカート１６の外側から延びて、ケーブル又は取り付けリングを受けることが望ましい。好ましくはループである第２のコネクタは、第１のコネクタとは反対側のスカート上に配置されることが好ましい。
【００１９】
装飾物２４は、円筒形開口部２７より小さい直径を有し、キャップ天面から取り外し、かつキャップをボトルから取り外すと、円筒形開口部内に配置することができ、そこで装飾物２４は、磁石によりキャップ天面に向けて引き付けられ、キャップが使用されていない際は簡単に保管できる。随意的に、装飾物の上部は、スカートの底部を超えて延び又はスカート内に収容することができる。装飾物の装飾上部は、種々の設計、芸術的ディスプレイ、又はチーム若しくは学校ロゴ等の属性の表示とすることができる。金属鎖、綱、又は釣り糸の等のプラスチックケーブル３０であることが望ましいケーブルを、ループ２８を通し、ネックレス３２又はブレスレット３４を形成することが好ましい。随意的に、ジャンプリング等の取り付けリングにより、キャップをネックレス、ブレスレット又は他の装身具片に接続する。
【００２０】
上記は、本発明の原理を例証するだけのものと考えられる。さらに、当業者であれば多数の変更及び修正を想到できるので、本発明は、上記に図示され説明された構造及び動作の通りに限定することは望まれず、従って、全ての好適な修正及び同等物（？）は、本発明の範囲に入るものと考えられる。
【符号の説明】
【００２１】
１０：交換用ボトルキャップ
１２：キャップ天面
１４：ボトル
１６：スカート
１８：内ネジ
２０：磁石
２２：保護円板
２４：装飾物
２５：修飾上部
２６：金属リング
２８：コネクタ
３２：ネックレス
３４：ブレスレット
【要約】
【課題】  飲料容器を魅力的に個別化するために使用することができる交換用ボトルキャップを提供する。
【解決手段】  本発明による交換用ボトルキャップは、円形のキャップ天面を有する。環状スカートは、キャップ天面から下向きに延びて、ネジ付きボトルネックを受けるための開口部を与える。スカートは、ボトルネックの外側部分上の対応するネジに係合する内ネジを有する。キャップ天面は、磁界に対して透過性である。
磁石は、キャップ天面に隣接する円筒形開口部内に配置される。装飾物は、キャップ天面から上向きに延びる。装飾物は、磁石に引き付けられ、キャップ天面に確実に保持される。装飾物は、磁石により装飾物に作用する力に打ち勝つのに十分な程度引っ張ることにより、キャップ天面から取り外すことができる。少なくとも第１のコネクタは、スカートの外側から延びて、嵌合コネクタを受ける。
【選択図】      図１【図１】
0005512029.tif 000002
【図２】
0005512029.tif 000003
【図３】
0005512029.tif 000004
【図４】
0005512029.tif 000005
【図５】
0005512029.tif 000006
【図６】
0005512029.tif 000007
【図７】
0005512029.tif 000008
【図８】
0005512029.tif 000009
【図９】
0005512029.tif 000010